(57)【要約】【課題】爪の下の組織における特定の部位をより多く通過した光を反映した検出信号を生成する。【解決手段】爪の表面に対して光を出射するための発光部と、前記発光部から出射して前記爪の下の組織を通過した前記光の受光レベルに応じた検出信号を生成する受光部とを具備し、前記発光部の光軸は、前記爪の表面における重心を通る垂線に対して傾斜している検出装置。【選択図】図２
2018175707.tif 000002
【特許請求の範囲】
【請求項１】
爪の表面に対して光を出射するための発光部と、
前記発光部から出射して前記爪の下の組織を通過した前記光の受光レベルに応じた検出信号を生成する受光部とを具備し、
前記発光部の光軸は、前記爪の表面における重心を通る垂線に対して傾斜している
検出装置。
【請求項２】
爪の表面に対して光を出射するための発光部と、
前記発光部から出射して前記爪の下の組織を通過した前記光の受光レベルに応じた検出信号を生成する受光部と、
前記爪の表面に対向する対向面とを具備し、
前記発光部の光軸は、前記対向面の垂線に対して傾斜している
検出装置。
【請求項３】
前記発光部および前記受光部は、前記爪の表面側に位置する
請求項１または請求項２の検出装置。
【請求項４】
前記受光部の光軸は、前記垂線に沿う
請求項１から請求項３の検出装置。
【請求項５】
複数の前記発光部を具備する
請求項１から請求項４の検出装置。
【請求項６】
前記複数の発光部の各々の光軸は、前記組織の内部で交わる
請求項５の検出装置。
【請求項７】
前記発光部の光軸と前記受光部の光軸とがなす角度は、３０度以上６０度以下である
請求項１から請求項６の何れかの検出装置。
【請求項８】
前記発光部が出射する前記光は、近赤外光を含む
請求項１から請求項７の何れかの検出装置。
【請求項９】
前記受光部は、前記発光部から出射して前記組織を通過した前記光を分光する分光器と、前記分光器で分光された光の受光レベルに応じた検出信号を生成する受光素子とを含む
請求項１から請求項８の何れかの検出装置。
【請求項１０】
前記受光素子は、ＩｎＧａＡｓで形成される
請求項９の検出装置。
【請求項１１】
請求項１から請求項１０の何れかの検出装置と、
前記検出装置が生成した前記検出信号から生体情報を特定する特定部と
を具備する生体情報測定装置。
【請求項１２】
爪の表面における重心を通る垂線に対して傾斜した方向から、発光部により前記爪の表面に対して光を照射し、
前記爪の下の組織を通過した前記光を受光し、
前記受光したレベルに応じた検出信号を生成する
検出方法。
【発明の詳細な説明】
【技術分野】
【０００１】
本発明は、被験者の生体情報を測定するための技術に関する。
【背景技術】
【０００２】
被験者の生体情報を測定するための技術が従来から提案されている。例えば特許文献１には、近赤外光を爪の下の皮下組織に照射し、皮下組織からの拡散反射光に応じた信号を利用して血糖値を測定する構成が開示されている。
【先行技術文献】
【特許文献】
【０００３】
【特許文献１】特開２００５−８０７１０号公報
【発明の概要】
【発明が解決しようとする課題】
【０００４】
特許文献１の技術では、血糖値測定用のピックアップの先端面に照射用光ファイバーの端面と受光用光ファイバーの端面とが位置している。つまり、ピックアップを爪表面に装着すると、爪の表面に対して垂直に光が入射する。しかし、爪の表面に対して垂直に光が入射すると、生体情報の測定に適した信号が生成されない場合がある。例えば、非常に狭い範囲に局所的に光が照射されて、外光および正反射光の影響が大きい検出信号が生成される、または、過度に深い位置まで光が到達して、本来の測定対象となる爪直下の組織とは異なる組織の影響を含む検出信号が生成される等の問題がある。以上の事情を考慮して、本発明は、爪の下の組織における特定の部位をより多く通過した光を反映した検出信号を生成することを目的とする。
【課題を解決するための手段】
【０００５】
以上の課題を解決するために、本発明の第１態様に係る検出装置は、爪の表面に対して光を出射するための発光部と、発光部から出射して爪の下の組織を通過した光の受光レベルに応じた検出信号を生成する受光部とを具備し、発光部の光軸は、爪の表面における重心を通る垂線に対して傾斜している。以上の構成では、爪の表面に対して光を出射するための発光部の光軸が、爪の表面における重心を通る垂線に対して傾斜している。したがって、発光部の光軸が爪の表面における重心を通る垂線に対して平行な構成と比較して、発光部から出射された光は、爪の下の組織内において深度が浅い部分（例えば爪床）に広範囲にわたり伝搬する。ひいては、爪の下の組織における特定の部位をより多く通過した光を反映した検出信号の生成が可能になる。また、爪の下の組織内において深度が浅い部分に広範囲にわたり伝播するので、爪表面に対して検出装置の位置がずれた場合でも、高精度に検出信号を生成することができる。
【０００６】
本発明の第２態様に係る検出装置は、爪の表面に対して光を出射するための発光部と、発光部から出射して爪の下の組織を通過した光の受光レベルに応じた検出信号を生成する受光部と、爪の表面に対向する対向面とを具備し、発光部の光軸は、対向面の垂線に対して傾斜している。以上の構成では、爪の表面に対して光を出射するための発光部の光軸が、爪の表面に対向する対向面の垂線に対して傾斜している。したがって、発光部の光軸が爪の表面に対抗する対向面の垂線に対して平行な構成と比較して、発光部から出射された光は、爪の下の組織内において深度が浅い部分（例えば爪床）に広範囲にわたり伝搬する。ひいては、爪の下の組織における特定の部位をより多く通過した光を反映した検出信号の生成が可能になる。また、爪の下の組織内において深度が浅い部分に広範囲にわたり伝播するので、爪表面に対して検出装置の位置がずれた場合でも、高精度に検出信号を生成することができる。
【０００７】
本発明の第１態様と第２態様の好適例において、発光部および受光部は、爪の表面側に位置する。以上の構成では、発光部および受光部が爪の表面側に位置する。したがって、爪を挟んで発光部とは反対側に受光部がある構成と比較して小型化が可能である。また、爪の下の組織における特定の部位を通過した光の影響を検出信号において大きくするという観点からも、発光部および受光部が爪の表面側に位置する構成が有効である。
【０００８】
本発明の第１態様と第２態様の好適例において、受光部の光軸は、垂線に沿う。以上の構成では、受光部の光軸は、垂線（爪の表面における重心を通る垂線、または、爪の表面に対向する対向面の垂線）に沿う。
【０００９】
本発明の第１態様と第２態様の好適例において、複数の発光部を具備する。以上の構成では、複数の発光部を具備するので、発光部の個数が１個の構成と比較して、爪の下の組織の内部を通過する光の光量が多い。したがって、ＳＮ比が高い検出信号を生成することができる。
【００１０】
本発明の第１態様と第２態様の好適例において、複数の発光部の各々の光軸は、組織の内部で交わる。以上の構成では、複数の発光部の各々の光軸は、爪の下の組織の内部で交わるので、各発光部が出射した光が爪の下の組織を伝播する範囲が相互に重複し得る。したがって、複数の発光部の各々の光軸が爪の下の組織の内部で交わらない構成と比較して、充分な光量で爪の下の組織を均一に照射することが可能である。したがって、爪の下の組織の状態を高度に反映したＳＮ比の高い検出信号を生成できるという利点がある。
【００１１】
本発明の第１態様と第２態様の好適例において、発光部の光軸と受光部の光軸とがなす角度は、３０度以上６０度以下である。以上の構成では、発光部の光軸と受光部の光軸とがなす角度は、３０度以上６０度以下である。爪の下の組織における特定の部位を通過した光の影響を大きくするという観点からは、以上の構成が特に有効である。
【００１２】
本発明の第１態様と第２態様の好適例において、発光部が出射する光は、近赤外光を含む。発光部が出射する光に近赤外光が含まれる構成は、特定の生体情報（例えば血糖値）を特定する場合に特に有効である。
【００１３】
本発明の第１態様と第２態様の好適例において、受光部は、発光部から出射して組織を通過した光を分光する分光器と、分光器で分光された光の受光レベルに応じた検出信号を生成する受光素子とを含む。以上の構成では、発光部から出射して組織を通過した光を分光する分光器と、分光器で分光された光の受光レベルに応じた検出信号を生成する受光素子とを受光部が含むので、爪の下の組織を通過した光のうち特定の波長帯域の光を反映した検出信号を生成することが可能である。
【００１４】
本発明の第１態様と第２態様の好適例において、受光素子は、ＩｎＧａＡｓで形成される。以上の構成では、近赤外領域に高い感度を示すＩｎＧａＡｓにより受光素子が形成されるので、爪の下の組織を通過した光のうち近赤外光を反映した検出信号を生成することができる。
【００１５】
以上の各態様の検出装置は、検出装置が生成した検出信号から生体情報を特定する生体情報測定装置に利用される。
【００１６】
本発明の好適な態様に係る検出方法は、爪の表面における重心を通る垂線に対して傾斜した方向から、発光部により爪の表面に対して光を照射し、爪の下の組織を通過した光を受光し、受光したレベルに応じた検出信号を生成する。以上の方法では、爪の表面における重心を通る垂線に対して傾斜した方向から、発光部により爪の表面に対して照射した光のうち、爪の下の組織を通過した光の受光レベルに応じた検出信号が生成される。したがって、爪の表面における重心を通る垂線と平行な方向から、発光部により爪の表面に対して光を照射する方法と比較して、発光部から出射された光は、爪の下の組織内において深度が浅い部分（例えば爪床）に広範囲にわたり伝搬する。ひいては、爪の下の組織における特定の部位をより多く通過した光を反映した検出信号の生成が可能になる。また、爪の下の組織内において深度が浅い部分に広範囲にわたり伝播するので、爪表面に対して受光部の位置がずれた場合でも、高精度に検出信号を生成することができる。
【図面の簡単な説明】
【００１７】
【図１】本発明の実施形態に係る生体情報測定装置の構成図である。
【図２】生体情報測定装置が使用される状態における検出装置の断面図である。
【図３】爪の表面における重心を通る垂線の説明図である。
【図４】発光部から出射した光が伝播する範囲の模式図である。
【図５】対比例における発光部から出射した光が伝播する範囲の模式図である。
【発明を実施するための形態】
【００１８】
図１は、本発明の実施形態に係る生体情報測定装置１の側面図である。生体情報測定装置１は、被験者の生体情報を測定する測定機器である。具体的には、生体情報測定装置１は、被験者の指Ｆの爪Ｎの下の組織（以下「爪下組織」という）から生体情報を測定する。本実施形態では、爪下組織に存在する毛細血管から血糖値を生体情報として測定する。
【００１９】
本実施形態の生体情報測定装置１は、図１に例示される通り、検出装置２０と特定部４０と表示部６０とを具備する。図２は、生体情報測定装置１が使用される状態における検出装置２０を指Ｆの長手方向から見た断面図である。検出装置２０は、血糖値の特定に使用される検出信号を生成する機器であり、被験者の身体のうち指Ｆの爪Ｎの表面に配置される。
【００２０】
検出装置２０は、図２に例示される通り、筐体２１と複数（例えば２個）の発光部２３と受光部２５とを具備する。筐体２１は、例えば略円柱状の中空の構造体であり、発光部２３と受光部２５とを収容する。具体的には、筐体２１は、爪Ｎの表面に対向する面（以下「対向面」という）１３と、対向面１３から受光部２５に向って筒状に形成された検出経路部１５とを具備する。対向面１３は、実際の使用状態では爪Ｎに接触する。本実施形態では、筐体２１に収容される発光部２３と受光部２５とは、対向面１３を挟んで爪Ｎの反対側に位置する。つまり、発光部２３と受光部２５とは、爪Ｎの表面側に位置する。発光部２３と受光部２５とが爪Ｎの表面に対向するとも換言され得る。
【００２１】
各発光部２３は、爪Ｎの表面に対して光Ｌを出射する。具体的には、各発光部２３は、支持部３１と発光素子３３とレンズ３５とを具備する。支持部３１は、例えば円柱状の中空の構造体である。図２に例示される通り、支持部３１の一方の端面に発光素子３３が設置され、他方の端面にレンズ３５が設置される。発光素子３３は、光Ｌを出射する素子である。例えば、ＬＥＤ（Light Emitting Diode），ハロゲンランプまたは面発光レーザー（Vertical Cavity Surface Emitting LASER）等を発光素子３３として利用するこができる。レンズ３５は、発光素子３３から出射された光Ｌを平行光にする凸レンズである。レンズ３５により集光された光Ｌは、爪Ｎに対して照射される。本実施形態の発光素子３３（発光部２３）は、近赤外光（約８００ｎｍ〜１３００ｎｍ）を含む光Ｌを出射する。各発光素子３３は、同時に光Ｌを出射する。
【００２２】
発光部２３からの出射光Ｌは、検出経路部１５の側壁に形成された貫通孔７０を通過して爪Ｎの表面に入射する。爪Ｎの表面に入射した光Ｌは、爪Ｎを透過して爪下組織ＮPに到達する。爪下組織ＮPに到達した光Ｌは、爪下組織ＮPで反射および散乱を繰り返したうえで一部が爪Ｎを再び透過して検出装置２０側に出射する。すなわち、爪Ｎの表面側に位置する発光部２３と受光部２５とで反射型の光学センサーモジュールとして機能する。本実施形態では、爪Ｎの表面に入射した光Ｌは、爪Ｎの内部で拡散してから爪下組織ＮPに到達する。つまり、爪Ｎが導光板として機能する。したがって、例えば表皮に対して光を出射する構成と比較して、発光部２３から爪Ｎに対して出射した光Ｌを生体（爪下組織ＮP）内において広範囲にわたり到達させることができる。
【００２３】
受光部２５は、発光部２３から出射して爪下組織ＮPを通過した光Ｌの受光レベルに応じた検出信号を生成する。本実施形態の受光部２５は、分光器５１と受光素子５３とを具備する。爪Ｎの表面に対向するように分光器５１が設置され、分光器５１を挟んで爪Ｎとは反対側に受光素子５３が設置される。具体的には、分光器５１は、発光部２３から出射して爪下組織ＮPを通過した光Ｌを分光する光学機器である。例えばファブリ・ペロー型干渉計（エタロン）が分光器５１として好適に利用される。
【００２４】
爪下組織ＮPから爪Ｎを透過して検出装置２０側に出射した光Ｌは、検出経路部１５の内部空間を通過し、分光器５１において爪Ｎの表面に対向する入射面５７に入射する。本実施形態では、分光器５１に入射した光のうち近赤外領域の光が分光される。受光素子５３は、分光器５１で分光された光の受光レベルに応じた検出信号を生成する。例えば、爪Ｎに対向する受光面５９で光を受光するフォトダイオード（ＰＤ：Photo Diode）等の光電変換素子が受光素子５３として好適に利用される。本実施形態の受光素子５３は、近赤外領域に高い感度を示すＩｎＧａＡｓ（インジウム・ガリウム・ヒ素）で形成される。なお、検出装置２０は、例えば、駆動電流の供給により発光部２３を駆動する駆動回路と、受光部２５の出力信号を増幅およびＡ/Ｄ変換する出力回路（例えば増幅回路とＡ/Ｄ変換器）を包含するが、図２では各回路の図示を省略した。
【００２５】
以下、発光部２３と受光部２５との位置関係を説明する。各発光部２３は、発光部２３の光軸ＯEが筐体２１の対向面１３の垂線Ｐ1に対して傾斜するように筐体２１に設置される。発光部２３の光軸ＯEは、発光部２３が出射する光束の代表となる仮想的な軸線である。例えば、発光素子３３の発光面３７の中心を通過し発光面３７に垂直な軸線、または、レンズ３５の光軸が発光部２３の光軸ＯEとして例示される。本実施形態において、対向面１３の垂線Ｐ1と爪Ｎの表面における重心Ｃを通る垂線Ｐ2とは一致する。すなわち、発光部２３の光軸ＯEが爪Ｎの表面における重心Ｃを通る垂線Ｐ2に対して傾斜している、とも換言され得る。爪Ｎの表面における重心Ｃとは、図３に例示される通り、爪Ｎの表面における爪甲（爪Ｎの根元から黄線までの範囲）部分ＮQの重心Ｃである。なお、実際には、垂線Ｐ1と垂線Ｐ2とが一致しない場合も想定され得る。
【００２６】
また、受光部２５は、受光部２５の光軸ＯRが垂線Ｐ（Ｐ1およびＰ2）に沿うように筐体２１に設置される。受光部２５の光軸ＯRは、受光部２５が受光する光束の代表となる仮想的な軸線である。例えば、分光器５１の入射面５７の中心を通過し当該入射面５７に垂直な軸線、または、受光素子５３の受光面５９の中心を通過し当該受光面５９に垂直な軸線が受光部２５の光軸ＯRとして例示される。受光部２５の光軸ＯRが垂線Ｐに沿う状態とは、典型的には、受光部２５の光軸ＯRと垂線Ｐとが平行である状態を意味する。光軸ＯRと垂線Ｐとが平行である状態とは、光軸ＯRと垂線Ｐとが厳密に平行である状態のほか、光軸ＯRと垂線Ｐとが実質的に平行である状態を含む。光軸ＯRと垂線Ｐとが実質的に平行である状態とは、例えば、光軸ＯRと垂線Ｐとがなす角度が０度以上１０度以下（理想的には０度）の状態をいう。
【００２７】
図２に例示される通り、本実施形態において２個の発光部２３の各々の光軸ＯEは、爪下組織ＮPの内部で交わる。受光部２５は、例えば発光部２３同士の光軸ＯEの交点Ｓを受光部２５の光軸ＯRが通過するように設置される。つまり、平面視において２個の発光部２３の間に受光部２５が位置する。発光部２３の光軸ＯEと受光部２５の光軸ＯR（あるいは対向面１３の垂線Ｐ1）とがなす角度θは、３０度以上６０度以下（例えば４５度）である。
【００２８】
図１の特定部４０は、検出装置２０で生成された検出信号から血糖値を特定する。具体的には、特定部４０は、検出信号から吸光スペクトルを生成し、当該吸光スペクトルから血糖値（グルコース濃度）を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示部（例えば液晶表示パネル）６０は、特定部４０が特定した血糖値を表示する。
【００２９】
図４は、本実施形態における発光部２３から出射した光Ｌが伝播する範囲Ｈの模式図である。図５は、発光部２３の光軸ＯEが対向面１３の垂線Ｐ1（あるいは垂線Ｐ2）に対して平行な構成（以下「対比例」という）における発光部２３から出射した光Ｌが伝播する範囲Ｈの模式図である。発光部２３の光軸ＯEが筐体２１の対向面１３の垂線Ｐ1（あるいは垂線Ｐ2）に対して傾斜する本実施形態の構成によれば、対比例と比較して、発光部２３から出射された光Ｌは、爪下組織ＮP内において深度が浅い部分（例えば爪床）に広範囲にわたり伝播する。ここで、爪下組織ＮPには、毛細血管が存在する。特に、図４および図５の断面図において爪Ｎに近い部分の（つまり深度が浅い位置にある）組織に多数の毛細血管が存在する。つまり、本実施形態の構成によれば、対比例と比較して、爪下組織ＮPにおける特定の部位（つまり毛細血管）をより多く通過した光を反映した検出信号の生成が可能になる。ひいては、血糖値の測定により適した検出信号を生成することができる。また、本実施形態では、爪下組織ＮP内において深度が浅い部分に広範囲にわたり伝播するので、爪表面に対して検出装置２０の位置がずれた場合（例えば検出装置２０の対向面１３の一部が爪Ｎの表面からはみ出ている場合）でも、高精度に検出信号を生成することができる。
【００３０】
本実施形態では、爪Ｎの表面に検出装置２０が配置されるので、表皮に検出装置２０を配置する構成と比較して、測定環境（例えば温度および圧力）の影響、または、生体内部以外の組織（例えば汗腺および体毛）の影響を低減した検出信号を生成できるという利点がある。したがって、高精度に検出信号を生成することが可能である。
【００３１】
＜変形例＞
以上に例示した形態は多様に変形され得る。具体的な変形の態様を以下に例示する。以下の例示から任意に選択された２以上の態様を適宜に併合することも可能である。
【００３２】
（１）前述の形態では、検出装置２０は２個の発光部２３を具備したが、発光部２３の個数を３個以上または１個とすることも可能である。ただし、複数（２個以上）の発光部２３を具備する構成によれば、発光部２３の個数が１個の構成と比較して、爪下組織ＮP内を通過する光の光量が多い。したがって、ＳＮ比が高い検出信号を生成することができる。また、発光部２３の個数が１個の構成と比較して、検出装置２０の位置が爪の表面に対してずれた場合でも、爪下組織ＮPを通過した検出信号を生成できるという利点がある。
【００３３】
（２）前述の形態では、２個の発光部２３の各々の光軸ＯEが爪下組織ＮPの内部で交わる構成を例示したが、２個の発光部２３の各々の光軸ＯEが爪下組織ＮPの内部で交わらない構成も採用され得る。ただし、２個の発光部２３の各々の光軸ＯEが爪下組織ＮPの内部で交わる前述の実施形態の構成によれば、図４に例示される通り、各発光部２３が出射した光が爪下組織ＮPを伝播する範囲が相互に重複し得る。したがって、２個の発光部２３の各々の光軸ＯEが爪下組織ＮPの内部で交わらない構成と比較して、充分な光量で爪下組織ＮPを均一に照射することが可能である。したがって、爪下組織ＮPの状態を高度に反映したＳＮ比の高い検出信号を生成できるという利点がある。
【００３４】
（３）前述の形態では、発光部２３の光軸ＯEと受光部２５の光軸ＯRとがなす角度θは３０度以上６０度以下であったが、角度θは以上の例示に限定されない。例えば角度θを３０度より小さくすること、または、６０度より大きくすることも可能である。ただし、爪下組織ＮPにおける特定の部位（例えば爪床に存在する毛細血管）を通過した光の影響を大きくするという観点からは、角度θが３０度以上６０度以下である構成が特に有効である。なお、２個の発光部２３の各々の角度θを相違させることも可能である。
【００３５】
（４）前述の形態では、発光部２３が出射する光Ｌに近赤外光が含まれたが、発光部２３が出射する光Ｌの波長帯域は任意である。ただし、発光部２３が出射する光Ｌに近赤外光が含まれる構成は、血糖値を生体情報として特定する場合に特に有効である。つまり、特定する生体情報の種類によって、発光部２３が出射する光の波長帯域は任意に変更し得る。
【００３６】
（５）前述の形態では、受光部２５が分光器５１と受光素子５３とを含んだが、発光部２３から出射して爪下組織ＮPを通過した光の受光レベルに応じた検出信号を生成することができれば受光部２５の構成は任意である。例えば受光部２５が受光素子５３のみを含む構成、または、分光器５１にファブリ・ペロー型干渉計を利用した場合には受光部２５が分光器５１と受光素子５３との間にバンドパスフィルターを具備する構成も採用され得る。ただし、受光部２５が分光器５１と受光素子５３とを含む前述の実施形態の構成によれば、爪下組織ＮPを通過した光のうち特定の波長帯域の光を反映した検出信号を生成することが可能である。
【００３７】
（６）前述の形態では、受光素子５３はＩｎＧａＡｓで形成されたが、受光素子５３の材料は任意である。例えばシリコン（Ｓi）で受光素子５３を形成することも可能である。ただし、近赤外領域に高い感度を示すＩｎＧａＡｓで受光素子５３を形成する前述の実施形態の構成によれば、爪下組織ＮPを通過した光のうち近赤外光を反映した検出信号を生成することができる。
【００３８】
（７）前述の形態では、受光部２５の光軸ＯRが垂線Ｐ（Ｐ1およびＰ2）に沿う構成を例示したが、受光部２５の光軸ＯRの態様は以上の例示に限定されない。例えば受光部２５の光軸ＯRが垂線Ｐに沿わない構成（例えば受光部２５の光軸ＯRが発光部２３の光軸ＯEに沿う構成）も採用され得る。以上の構成においても、爪下組織ＮPにおける特定の部位（例えば爪床に存在する毛細血管）をより通過した光を反映した検出信号の生成が可能になる、という効果は実現できる。
【００３９】
（８）前述の形態では、発光部２３および受光部２５が爪Ｎの表面側に位置したが、爪Ｎの表面に対する発光部２３と受光部２５との位置は以上の例示に限定されない。例えば爪Ｎを挟んで発光部２３とは反対側に受光部２５がある構成も採用され得る。ただし、発光部２３および受光部２５が爪Ｎの表面側に位置する構成によれば、爪Ｎを挟んで発光部２３とは反対側に受光部２５がある構成と比較して小型化が可能である。また、爪下組織ＮPにおける特定の部位を通過した光の影響を検出信号において大きくするという観点からも、発光部２３および受光部２５が爪Ｎの表面側に位置する構成が有効である。
【００４０】
（９）前述の形態では、発光部２３同士の光軸ＯEの交点Ｓを受光部２５の光軸ＯRが通過する構成を例示したが、発光部２３同士の光軸ＯEの交点Ｓを受光部２５の光軸ＯRが通過しないように受光部２５を設置することも可能である。ただし、発光部２３同士の光軸ＯEの交点Ｓを受光部２５の光軸ＯRが通過するように受光部２５が設置される前述の実施形態の構成によれば、爪下組織ＮPの状態を高度に反映したＳＮ比の高い検出信号を生成できるという利点がある。
【００４１】
（１０）前述の形態では、分光器５１に入射した光のうち近赤外領域の光が分光されたが、分光器５１が分光する光の波長帯域は任意である。例えば、近赤外領域の一部の領域を含む光、または、近赤外領域に加えて可視領域の光を分光する構成も採用され得る。
【００４２】
（１１）前述の形態では、生体情報として血糖値を特定したが、特定する生体情報の種類は血糖値に特定されない。爪下組織ＮPから特定できる生体情報であれば任意である。例えばコレステロール等の血液中の成分を示す指標または血流量等を生体情報として特定することも可能である。ただし、発光部２３の光軸ＯEが筐体２１の対向面１３の垂線Ｐ1（爪Ｎの表面における重心Ｃを通る垂線Ｐ2に対して）に対して傾斜する前述の実施形態の構成は、爪Ｎに近い部分の組織（例えば爪床に存在する毛細血管）から特定できる生体情報を特定する場合に特に有効である。
【００４３】
（１２）前述の形態では、特定した血糖値を表示する表示部６０を具備したが、生体情報測定装置１と通信可能（有線／無線）な端末装置に表示部６０を設けることも可能である。生体情報測定装置１は特定した血糖値を端末装置に送信して、当該端末装置が血糖値を表示する。つまり、生体情報測定装置１において表示部６０は必須ではない。
【００４４】
（１３）特定部４０および表示部６０のうち一方または双方を端末装置に設けた構成（例えば端末装置で実行されるアプリケーションで実現される構成）であってもよい。つまり、生体情報測定装置１は、相互に別体で構成された複数の装置でも実現される。
【００４５】
（１４）本発明は、前述の形態に係る検出装置２０の動作方法（検出方法）としても特定され得る。具体的には、本発明の好適な態様の検出方法は、爪Ｎの表面における重心Ｃを通る垂線Ｐ2（もしくは対向面１３の垂線Ｐ1）に対して傾斜した方向から、発光部２３により爪Ｎの表面に対して光Ｌを照射し、爪下組織ＮPを通過した光Ｌを受光し、受光したレベルに応じた検出信号を生成する。
【符号の説明】
【００４６】
１…生体情報測定装置、１３…対向面、１５…検出経路部、２０…検出装置、４０…特定部、６０…表示部、２１…筐体、２３…発光部、２５…受光部、３１…支持部、３３…発光素子、３５…レンズ、３７…発光面、５１…分光器、５３…受光素子、５７…入射面、５９…受光面、７０…貫通孔。
【図１】
2018175707.tif 000003
【図２】
2018175707.tif 000004
【図３】
2018175707.tif 000005
【図４】
2018175707.tif 000006
【図５】
2018175707.tif 000007